(57)【要約】【課題】ソケット孔や、電気機器類を容易に増設することが可能な自動車用ソケットを提供する。【解決手段】自動車用ソケットの本体１の側面にジョイント雄部１ａを設けると共に、増設ユニット６の側面にも本体１と着脱可能なジョイント雌部６ａを設けた。また、増設ユニット６の、本体１とのジョイントとは反対側の側面に本体１のジョイント雄部１ａと同一のジョイント雄部１ａを設けた。それにより、ソケットや電気機器類を容易に増設することが可能になると共に、増設ユニットから更に増設ユニットを追加することが可能になり、電気機器類の使用状況に応じて、ソケット孔を増設することができると共に、増設ユニット６をソケット以外の電気機器類とすることにより、無駄にソケット孔を占有することのない利便性に富んだ実用性に優れた自動車用ソケットを提供することが可能になった。【選択図】  図１
2004228054.tif 000002
【特許請求の範囲】
【請求項１】
自動車の電源供給部に接続し、複数の電気機器類に電源を分配する自動車用ソケットにおいて、
本体の側面に、着脱可能に増設ユニットを設けたことを特徴とする自動車用ソケット。
【請求項２】
増設ユニットの、本体の側面と着脱可能にした側面とは反対側の側面に、更に増設ユニットを着脱可能にしたことを特徴とする自動車用ソケット。
【請求項３】
増設ユニットには自動車用シガーライタープラグを挿入できるソケットが設けられていることを特徴とする請求項１及び２に記載の自動車用ソケット。
【発明の詳細な説明】
【０００１】
【発明の属する技術分野】
本発明は、自動車の電源供給部に接続し、複数の電気機器類に電源を供給するための自動車用ソケットに関する。
【０００２】
【従来の技術】
従来、このような自動車用ソケットは、自動車に装備されたシガーライター用ソケットに接続し、複数の電気機器類に電源を供給するために、複数のソケット孔が設けられており、電源取出プラグを備えた電気機器類（例えば、照明器具、空気清浄機、携帯電話機用充電器、ＤＣ／ＡＣコンバーター等）を差し込んで使用される。
【０００３】
図７は、実用新案登録第２５２９２４７号公報の第４図で、従来例として本体の前面にソケット孔を複数設けていることが示されている。（特許文献１）
また、図８は、実用新案登録第２５０４４５５号公報の第１図で、複数のソケット孔を設けた本体の側面に別体部として回動自在にソケットあるいは照明器具を備え、ソケットと別体部を使用態様に応じて回転させて向きを変えることが可能に構成されている。（特許文献２）
【０００４】
【特許文献１】実用新案登録第２５２９２４７号公報
【特許文献２】実用新案登録第２５０４４５５号公報
【０００５】
【発明が解決しようとする課題】
しかしながら、前記した従来例の自動車用ソケットは、予めソケット孔の数が２個、３個となっているため、それ以上の電気機器類を使用する場合は、更にソケットの数を増設する必要がある。
その場合は、既に設置した自動車用ソケットの一つのソケット孔に新たな複数のソケット孔を備える自動車用ソケットを追加して使用するか、あるいはソケット孔の数の多い自動車用ソケットと取り替えて使用することになる。
前者の場合、既に設置した自動車用ソケットのソケット孔を一つ占有することになり無駄が発生することはもとより、自動車用ソケットが増加することになるので、設置した具合も煩雑であり、所謂蛸足配線となるので、電気安全上好ましくない。
後者の場合は、新たに用意する必要があり、最初から使用していた自動車用ソケットが無駄になってしまう。
本発明は、このような問題を解消し、低コストでしかも簡易な構造でソケットや、その他の電気機器類を増設することが可能な自動車用ソケットを提供することを目的としている。
【０００６】
【課題を解決するための手段】
上記の課題は本発明によれば、自動車の電源供給部に接続し、複数の電気機器類に電源を分配する自動車用ソケットにおいて、本体の側面に、着脱可能に増設ユニットを設けたことで解決される。
また、増設ユニットの、本体の側面と着脱可能にした側面とは反対側の側面に、更に増設ユニットを着脱可能にしたことで解決される。
更に、増設ユニットには自動車用シガーライタープラグを挿入できるソケットが設けられていることとすることで解決される。
【０００７】
【発明の実施の形態】
次に本発明を図１から図７に示す実施の形態に基づいて詳細に説明する。
図中１は、本発明の自動車用ソケットの本体であり、本体１の前面には複数のソケット孔２を有し、背面からコード３を介して自動車のシガーライターソケットに差し込む電源取出プラグ４を有する。
本体１の側面には、増設ユニット６を着脱自在に装着するためのジョイント雄部１ａが設けられており、増設ユニット６側に設けられたプラス接点６ｂとマイナス接点６ｃに対応して電気的に接続されるプラス接点１ｂと、マイナス接点１ｃが設けられている。５は、増設ユニット６を使用しない場合にジョイント雄部１ａ及び、プラス接点１ｂと、マイナス接点１ｃを隠蔽するためのカバーである。カバー５には、本体１のロック受け部１ｄに嵌合してカバー５を固定するためのロックレバー５ｄが設けられ、ロックレバー５ｄを押し下げることでロックが解除されカバー５を本体から外すことが可能になる。
【０００８】
一方、増設ユニット６には、ソケット孔２ａが設けられており、側面には、本体１の側面に設けられたジョイント雄部１ａに対応して増設ユニット６を装着するためのジョイント雌部６ａが設けられると共に、本体１側のジョイント雄部１ａに設けられたプラス接点１ｂと、マイナス接点１ｃに対応してジョイントすると共に電気的に接続されるプラス接点６ｂとマイナス接点６ｃが設けられる。
なおかつ、前記ジョイント雌部６ａのもう一方の側面には、本体１の側面に設けられたジョイント雄部１ａと同一のジョイント雄部１ａが設けられ、更に増設ユニット６を追加することが可能に構成されている。
【０００９】
ジョイント雄部１ａとジョイント雌部６ａは、アリ溝式に構成されており、図５に示されるように増設ユニット６を本体１の側面のジョイント雄部１ａの上部から下方向に嵌合しスライドしてジョイントする。このように相互にジョイントされた本体１と増設ユニット６は、プラス接点１ｂと６ｂ、マイナス接点１ｃと６ｃとで電気的に接続されて増設ユニット６のソケット２ａに電源を供給すると共に、本体１に設けられたロック受け部１ｄと、増設ユニット６に設けられたロックレバー６ｄとでロックされ外れないように固定される。
【００１０】
増設ユニット６は、本実施例ではソケットとしたが、一般的によく使われる電気機器類を増設ユニットとすることにより、無駄に自動車用ソケットのソケット孔を占有することがない。
例えば、図７に示すように増設ユニット６からコードを延設し、先端部にソケットを設けたものであれば、ワゴン車等の荷物室に延長してソケットを設置することで荷物室で電気機器類を使用することが容易になる。
また、増設ユニット６を自動車携帯電話機の充電ユニットとして、携帯電話機に接続するためのコードを延設したものや、増設ユニット６本体を照明器具としたもの、携帯電話機の充電ユニットと同様に、コードを延設して先端部を照明器具として自動車室内の適宜な場所に設置できるようにしたもの等幅広く応用することが可能である。
【００１１】
このように構成された本発明の自動車用ソケットは、本体１に対して必要に応じて増設ユニット６を追加することが可能であり、なおかつ、増設ユニット６から更に増設ユニット６を追加して増設することが可能であるので、電気機器類の使用状況に応じて、適宜ソケット孔２を増設することができると共に、増設ユニット６をソケット以外の電気機器類とすることにより、無駄にソケット孔を占有することのない自動車用ソケットのシステムを構築することが可能になる。
また、本実施例では、背面からコード３を介して自動車のシガーライターソケットに差し込むプラグ４を有する構成としたが、プラグ４を有さずにコードを直接自動車の電源供給可能なケーブルに接続してもよい。
【００１２】
【発明の効果】
以上説明した本発明により、自動車用ソケットの本体１の側面には、増設ユニット６を着脱自在に装着するためのジョイント雄部１ａと、プラス接点１ｂと、マイナス接点１ｃを設けると共に、増設ユニット６の側面には、本体１の側面に設けられたジョイント雄部１ａに対応して増設ユニット６を装着するためのジョイント雌部６ａを設け、本体１側のプラス接点１ｂと、マイナス接点１ｃに対応してジョイントすると共に電気的に接続されるプラス接点６ｂとマイナス接点６ｃを設けたので、本体１のソケット孔の数が不足した場合でも、必要に応じて増設ユニット６を増設することが可能となった。
また、増設ユニット６のジョイント雌部６ａとは反対側の側面に、本体１のジョイント雄部１ａと同一のジョイント雄部１ａを設けたので、増設ユニット６から更に増設ユニット６を追加して増設することが可能となった。
更に、増設ユニット６は、ソケット以外に一般的によく使われる電気機器類を増設ユニットとすることにより、無駄に自動車用ソケットのソケット孔を占有することがなくなり、幅広く応用することが可能となった。
このように本発明は、電気機器類の使用状況に応じて、適宜ソケット孔を増設することができると共に、増設ユニット６をソケット以外の電気機器類とすることにより、無駄にソケット孔を占有することのない利便性に富み実用性に優れた自動車用ソケットを提供することが可能になったものである。
【図面の簡単な説明】
【図１】本発明の実施例の外観説明図である。
【図２】本体１からカバー５を外す過程を示した図である。
【図３】本体１のジョイント雄部１ａの外観説明図である。
【図４】増設ユニット６のジョイント雌部６ａの外観説明図である。
【図５】本体１に増設ユニット６をジョイントさせる過程を示した図である。
【図６】本体１と増設ユニット６をジョイントさせた外観説明図である。
【図７】別の実施例を示す外観説明図である。
【図８】特許文献１の第４図である。
【図９】特許文献２の第１図である。
【符号の説明】
１          本体
１ａ        ジョイント雄部
１ｂ        プラス接点
１ｃ        マイナス接点
１ｄ        ロック受け部
２、２ａ    ソケット孔
３          コード
４          電源取出プラグ
５          カバー
６          増設ユニット
６ａ        ジョイント雌部
６ｂ        プラス接点
６ｃ        マイナス接点
６ｄ        ロックレバー
【図１】
2004228054.tif 000003
【図２】
2004228054.tif 000004
【図３】
2004228054.tif 000005
【図４】
2004228054.tif 000006
【図５】
2004228054.tif 000007
【図６】
2004228054.tif 000008
【図７】
2004228054.tif 000009
【図８】
2004228054.tif 000010
【図９】
2004228054.tif 000011